(57)【要約】【課題】接着剤を用いて固定しても変形しにくい光レセプタクルを提供すること。【解決手段】光レセプタクルは、透光性の光レセプタクル本体１３０と、光レセプタクル本体１３０の両端に配置された支持部１４０と、発光素子１１４から出射された光を入射させる第１光学面１３２と、複数の第１光学面１３２で入射した光を複数の光伝送体１１６の端面に向けて出射させる第２光学面１３６と、平面視したときに光レセプタクル１２０の四隅に配置され、全周が支持部に囲われた貫通孔または凹部である４つの接着剤溜まり部１４２と、を有する。光レセプタクル本体１３０および支持部１４０は、面対称の形状であり、４つの接着剤溜まり部１４２は、面対称の位置に配置されている。【選択図】図２
2015069023.tif 000002
【特許請求の範囲】
【請求項１】
複数の発光素子または複数の受光素子と、複数の光伝送体との間に配置され、前記複数の発光素子または複数の受光素子と、前記複数の光伝送体の端面とをそれぞれ光学的に結合するための光レセプタクルであって、
前記複数の発光素子から出射された光をそれぞれ入射させるか、内部を通る光を前記受光素子に向けてそれぞれ出射させる複数の第１光学面と、前記複数の第１光学面で入射した光を前記複数の光伝送体の端面に向けてそれぞれ出射させるか、前記複数の光伝送体からの光をそれぞれ入射させる複数の第２光学面とを有する光レセプタクル本体と、
前記光レセプタクル本体の両端に接続された支持部と、
平面視したときに光レセプタクルの四隅に位置するように前記支持部に配置され、全周が前記支持部に囲われた貫通孔または凹部である４つの接着剤溜まり部と、を有し、
前記光レセプタクル本体および前記支持部は、前記第２光学面から出射される光の光軸と平行な面を対称面として面対称の形状であり、
前記４つの接着剤溜まり部は、前記対称面について面対称の位置に配置されている、
光レセプタクル。
【請求項２】
前記光レセプタクル本体は、前記第１光学面で入射した光を前記第２光学面に向かって反射させるか、前記第２光学面で入射した光を前記第１光学面に向かって反射させる反射面をさらに有する、請求項１に記載の光レセプタクル。
【請求項３】
前記第１光学面は、前記光レセプタクル本体の底面側に配置され、
前記第２光学面は、前記光レセプタクルの側面側に配置されている、
請求項２に記載の光レセプタクル。
【請求項４】
前記第１光学面は、前記光レセプタクル本体の第１の側面側に配置され、
前記第２光学面は、前記第１光学面と対向するように前記光レセプタクル本体の第２の側面側に配置されている、請求項１に記載の光レセプタクル。
【請求項５】
請求項１〜４のいずれか一項に記載の光レセプタクルと、
発光素子または受光素子が配置された基板と、を有し、
前記光レセプタクルは、前記４つの接着剤溜まり部に注入された接着剤により、前記基板の表面に固定されている、
光モジュール。
【発明の詳細な説明】
【技術分野】
【０００１】
本発明は、光レセプタクルおよびこれを有する光モジュールに関する。
【背景技術】
【０００２】
以前から、光ファイバーや光導波路などの光伝送体を用いた光通信には、面発光レーザー（例えば、ＶＣＳＥＬ：Vertical Cavity Surface Emitting Laser）などの発光素子を備えた光モジュールが使用されている。光モジュールは、発光素子から出射された通信情報を含む光を、光伝送体の端面に入射させる光レセプタクルを有する。
【０００３】
たとえば、特許文献１には、光コネクターと、発光素子を配置した基板と、を有する光モジュールが記載されている。光コネクターは光ファイバーおよびコネクター部を有し、コネクター部は複数の光ファイバーの先端部と発光素子との間に配置されたレンズアレイ（光レセプタクル）を有する。また、レンズアレイは、発光素子から出射された光を光ファイバーの先端部に向かって反射する反射ミラーと、反射ミラーで反射した光を光ファイバーの先端部に向けて集光する集光レンズと、を有する。
【０００４】
特許文献１に記載の光モジュールでは、基板の所定の位置に光コネクターを位置決めして、レンズアレイの側面と基板との境界に熱硬化性のエポキシ樹脂接着剤を付けて熱硬化させることで、基板に対して光コネクターを固定している。
【０００５】
このように製造された光モジュールでは、発光素子から出射した光は、反射ミラーで光ファイバーの先端部に向かって反射され、集光レンズを介して光ファイバーの先端部に到達する。
【先行技術文献】
【特許文献】
【０００６】
【特許文献１】特開２０１０−１７５９４２号公報
【発明の概要】
【発明が解決しようとする課題】
【０００７】
しかしながら、特許文献１に記載の光モジュールでは、エポキシ樹脂接着剤を硬化させると、エポキシ樹脂接着剤の収縮により、レンズアレイ（集光レンズおよび反射ミラー）がエポキシ樹脂接着剤側（すなわち側方）に引っ張られるように変形する。そして、エポキシ樹脂接着剤は、レンズアレイを変形させた状態で硬化する。よって、レンズアレイは、基板に固定された後も変形したままになってしまい、発光素子から出射された光を光ファイバーの端面に適切に導くことができないことがある。このように、特許文献１に記載のレンズアレイ（光レセプタクル）には、接着剤を用いて固定した場合に変形してしまうという問題があった。
【０００８】
本発明は、かかる点に鑑みてなされたものであり、接着剤を用いて固定しても変形しにくい光レセプタクルを提供することを目的とする。また、本発明は、前記光レセプタクルを有する光モジュールを提供することも目的とする。
【課題を解決するための手段】
【０００９】
本発明の光レセプタクルは、複数の発光素子または複数の受光素子と、複数の光伝送体との間に配置され、前記複数の発光素子または複数の受光素子と、前記複数の光伝送体の端面とをそれぞれ光学的に結合するための光レセプタクルであって、前記複数の発光素子から出射された光をそれぞれ入射させるか、内部を通る光を前記受光素子に向けてそれぞれ出射させる複数の第１光学面と、前記複数の第１光学面で入射した光を前記複数の光伝送体の端面に向けてそれぞれ出射させるか、前記複数の光伝送体からの光をそれぞれ入射させる複数の第２光学面とを有する光レセプタクル本体と、前記光レセプタクル本体の両端に接続された支持部と、平面視したときに光レセプタクルの四隅に位置するように前記支持部に配置され、全周が前記支持部に囲われた貫通孔または凹部である４つの接着剤溜まり部と、を有し、前記光レセプタクル本体および前記支持部は、前記第２光学面から出射される光の光軸と平行な面を対称面として面対称の形状であり、前記４つの接着剤溜まり部は、前記対称面について面対称の位置に配置されている、構成を採る。
【００１０】
本発明の光モジュールは、本発明の光レセプタクルと、発光素子が配置された基板と、を有し、前記光レセプタクルは、前記４つの接着剤溜まり部に注入された接着剤により、前記基板の表面に固定されている、構成を採る。
【発明の効果】
【００１１】
本発明によれば、接着剤を用いて光レセプタクルを基板に固定しても、複数の発光素子または複数の受光素子と複数の光伝送体とを光学的に適切に結合させることができる。
【図面の簡単な説明】
【００１２】
【図１】図１は、実施の形態１に係る光モジュールの断面図である。
【図２】図２Ａ〜Ｅは、実施の形態１に係る光レセプタクルの構成を示す図である。
【図３】図３は、接着剤溜まり部の模式図である。
【図４】図４Ａ，Ｂは、接着剤の硬化時における光レセプタクル（支持部）の変形の方向を示す図である。
【図５】図５Ａ〜Ｃは、接着剤溜まり部の開口部の他の形状を示す図である。
【図６】図６Ａ〜Ｅは、比較例の光レセプタクルの構成を示す図である。
【図７】図７Ａ，Ｂは、実施の形態１に係る光レセプタクルについてのシミュレーション結果である。
【図８】図８Ａ〜Ｅは、実施の形態１の変形例に係る光レセプタクルの構成を示す図である。
【図９】図９Ａ〜Ｅは、実施の形態２に係る光レセプタクルの構成を示す図である。
【図１０】図１０Ａ，Ｂは、実施の形態２に係る光レセプタクルについてのシミュレーション結果である。
【図１１】図１１Ａ〜Ｅは、実施の形態２の変形例に係る光レセプタクルの構成を示す図である。
【発明を実施するための形態】
【００１３】
以下、本発明に係る実施の形態について、図面を参照して詳細に説明する。
【００１４】
［実施の形態１］
（光モジュールの構成）
図１は、本発明の実施の形態１に係る光モジュール１００の断面図である。図１では、光レセプタクル１２０内の光路を示すために光レセプタクル１２０の断面へのハッチングを省略している。
【００１５】
図１に示されるように、光モジュール１００は、発光素子１１４を含む基板実装型の光電変換装置１１０と、光レセプタクル１２０と、を有する。光モジュール１００は、光レセプタクル１２０に光伝送体１１６が接続されて使用される。光伝送体１１６は、シングルモード方式の光ファイバーであってもよいし、マルチモード方式の光ファイバーであってもよい。また、光伝送体１１６は、光導波路であってもよい。
【００１６】
光電変換装置１１０は、基板１１２および複数の発光素子１１４を有する。発光素子１１４は、基板１１２上に一列に配置されており、基板１１２の表面に対して垂直方向にレーザー光を出射する。発光素子１１４は、例えば垂直共振器面発光レーザー（ＶＣＳＥＬ）である。
【００１７】
光レセプタクル１２０は、光電変換装置１１０と光伝送体１１６との間に配置された状態で、発光素子１１４と光伝送体１１６の端面とを光学的に結合させる。以下、光レセプタクル１２０の構成について詳細に説明する。
【００１８】
（光レセプタクルの構成）
図２は、実施の形態１に係る光レセプタクル１２０の構成を示す図である。図２Ａは、光レセプタクルの平面図であり、図２Ｂは、底面図であり、図２Ｃは、正面図であり、図２Ｄは、背面図であり、図２Ｅは、右側面図である。
【００１９】
図２に示されるように、光レセプタクル１２０は、平面視したときに角型のＵ字形状の部材である。光レセプタクル１２０は、光レセプタクル本体１３０および２つの支持部１４０を有する。光レセプタクル本体１３０および支持部１４０は、第２光学面１３６から出射される光の光軸と平行な面を対称面として面対称の形状である。
【００２０】
光レセプタクル本体１３０は、透光性を有し、発光素子１１４から出射された光を光伝送体１１６の端面に向けて出射する。光レセプタクル本体１３０は、略直方体の形状である。光レセプタクル本体１３０は、複数の第１光学面（入射面）１３２、第３光学面（反射面）１３４、複数の第２光学面（出射面）１３６および２つの突起１３８を有する。光レセプタクル本体１３０は、光通信に用いられる波長の光に対して透光性を有する材料を用いて形成される。そのような材料の例には、ポリエーテルイミド（ＰＥＩ）や環状オレフィン樹脂などの透明な樹脂が含まれる。また、光レセプタクル本体１３０は、例えば射出成形により製造されうる。
【００２１】
第１光学面１３２は、発光素子１１４から出射されたレーザー光を屈折させて光レセプタクル本体１３０の内部に入射させる入射面である。複数の第１光学面１３２は、光レセプタクル本体１３０の底面側に、発光素子１１４とそれぞれ対向するように一列に配置されている。第１光学面１３２の形状は、特に限定されない。本実施の形態では、第１光学面１３２の形状は、発光素子１１４向かって凸状の凸レンズ面である。また、第１光学面１３２の平面視形状は、円形である。第１光学面１３２の中心軸は、発光素子１１４の発光面（および基板１１２の表面）に対して垂直であることが好ましい。また。第１光学面１３２の中心軸は、発光素子１１４から出射されたレーザー光の光軸と一致することが好ましい。第１光学面１３２（入射面）で入射した光は、第３光学面１３４（反射面）に向かって進行する。
【００２２】
第３光学面１３４は、第１光学面１３２で入射した光を第２光学面１３６に向けて反射させる反射面である。第３光学面１３４は、光レセプタクル本体１３０の底面から天面に向かうにつれて、光伝送体１１６に近づくように傾斜している。発光素子１１４から出射される光軸に対する第３光学面１３４の傾斜角度は、特に限定されない。本実施の形態では、第３光学面１３４の傾斜角度は、第１光学面１３２で入射した光の光軸に対して４５°である。第３光学面１３４の形状は、特に限定されない。本実施の形態では、第３光学面１３４の形状は、平面である。第３光学面１３４には、第１光学面１３２で入射した光が、臨界角より大きな入射角で入射する。第３光学面１３４は、入射した光を第２光学面１３６に向かって全反射させる。すなわち、第３光学面１３４（反射面）では、所定の光束径の光が入射して、所定の光束径の光が第２光学面１３６（出射面）に向かって出射する。
【００２３】
第２光学面１３６は、第３光学面１３４で全反射した光を光伝送体１１６の端面に向けて出射させる出射面である。複数の第２光学面１３６は、光レセプタクル本体１３０の第１の側面に、光伝送体１１６の端面とそれぞれ対向するように一列に配置されている。第２光学面１３６の形状は、特に限定されない。本実施の形態では、第２光学面１３６の形状は、光伝送体１１６の端面に向かって凸状の凸レンズ面である。これにより、第３光学面１３４で反射した所定の光束径の光を光伝送体１１６の端面に効率良く結合させることができる。第２光学面１３６の中心軸は、光伝送体１１６の端面の中心軸と一致していることが好ましい。
【００２４】
２つの突起１３８は、第２光学面１３６が配置されている、光レセプタクル本体１３０の第１の側面に配置されている。光レセプタクル本体１３０の２つの突起１３８に、光伝送体１１６の端部に固定されている光伝送体取り付け部１３９（図１参照）の２つの凹部をそれぞれ嵌合させることで、光レセプタクル本体１３０に対して光伝送体１１６を固定することができる。
【００２５】
支持部１４０は、光レセプタクル本体１３０を基板１１２に対して固定するための部分である。２つの支持部１４０は、それぞれ２つの接着剤溜り部１４２を有する。すなわち、光レセプタクル１２０は、４つの接着剤溜り部１４２を有する。支持部１４０は、略直方体であり、光レセプタクル本体１３０の両端にそれぞれ接続されている。支持部１４０は、一方の端部で光レセプタクル本体１３０と接続している。また、支持部１４０は、第２光学面１３６から出射される光と同じ向きに配置されている。支持部１４０は、光レセプタクル本体１３０と同じ透光性の材料を用いて形成されてもよいし、光レセプタクル本体１３０と異なる非透光性の材料で形成されていてもよい。例えば、支持部１４０は、光レセプタクル１２０と同じ材料で、射出成形により一体として製造されうる。
【００２６】
接着剤溜り部１４２は、基板１１２に実装（固定）するために、接着剤を貯留する。図２に示されるように、接着剤溜まり部１４２は、平面視したときに光レセプタクル１２０の四隅に位置するように支持部１４０に配置される。また、４つの接着剤溜まり部１４２は、第２光学面１３６から出射される光の光軸と平行な面を対称面として面対称の位置に配置されている。接着剤溜まり部１４２は、支持部１４０の両端部に配置されている。接着剤溜り部１４２の形状は、特に限定されない。本実施の形態では、接着剤溜り部１４２は、円柱状の貫通孔である。すなわち、接着剤溜り部１４２は、上下に円形の開口部を有するが、それ以外の方向（つまり全周）は支持部１４０に囲われている。接着剤溜まり部１４２の開口部の大きさは、特に限定されない。接着剤溜まり部１４２の開口部の大きさは、支持部１４０の材料や大きさ、使用する接着剤の特性によって、適宜設定すればよい。図３は、接着剤溜まり部１４２の模式図である。図３に示されるように、貫通孔の内周面の面積は、開口部の直径をＬとし、貫通孔の高さをＤとすると、πＬＤ（約３．１４ＬＤ）である。また、接着剤溜まり部１４２に注入される接着剤としては、公知の熱硬化性のエポキシ樹脂接着剤や紫外線硬化性の樹脂接着剤などを用いることができる。
【００２７】
光レセプタクル１２０は、基板１１２に対して光レセプタクル１２０を位置決めした後、接着剤溜まり部１４２に接着剤を注入し、硬化させることにより、基板１１２に対して固定される。
【００２８】
より具体的には、各第１光学面１３２の中心軸と発光素子１１４から出射されるレーザー光の光軸が一致するように、基板１１２に対して光レセプタクル１２０を位置決めする。そして、接着剤溜まり部１４２の内周面の全周に接するように接着剤を注入した後、接着剤を硬化させる。たとえば、熱硬化性のエポキシ樹脂接着剤を用いる場合は、接着剤を加熱する。これらの工程により、基板１１２に対して光レセプタクル１２０が固定される。
【００２９】
図４は、接着剤の硬化時における光レセプタクル１２０（支持部１４０）の変形の方向を示す図である。図４Ａは、実施の形態１に係る光モジュールにおける光レセプタクル１２０の変形の方向を示した模式図である。また、図４Ｂは、比較のため、光レセプタクルの外側に接着剤を付けた場合における光レセプタクルの変形の方向を示した模式図である。図４Ａに示されるように、硬化に伴う接着剤の収縮により、接着剤に接している支持部１４０（接着剤溜まり部１４２の内周面）は、接着剤溜まり部１４２の中心に向かって引っ張られる。本実施の形態では、接着剤は、全周にわたり接着剤溜まり部１４２の内周面に接している。このため、光レセプタクル１２０（支持部１４０）に作用して変形させる、接着剤の収縮に由来する水平方向の力は、互いに相殺される。また、４つの接着剤溜まり部１４２は、平面視したときに対称面について面対称の位置に配置されているため、接着剤の収縮による光レセプタクル１２０の変形がさらに抑制される。よって、接着剤で固定した場合であっても、光レセプタクル本体１３０の変形が抑制される。一方、図４Ｂに示されるように、光レセプタクルの外側において接着剤で固定した場合、支持部１４０は、外側に向かって引っ張られるように変形してしまう。
【００３０】
図５は、接着剤溜まり部の開口部の他の形状を示す図である。図５Ａに示されるように、接着剤溜まり部１４２ａの開口部の形状は、十字形状であってもよい。この場合、貫通孔の内周面の面積は、最大径をＬとし、十字の線幅をＬ／３とし、貫通孔の高さをＤとすると、４ＬＤである。また、図５Ｂに示されるように、接着剤溜まり部１４２ｂの開口部の形状は、Ｈ字形状であってもよい。この場合、貫通孔の内周面の面積は、Ｈ字の線幅をＬ／３とすると、約５ＬＤ（１６／３ＬＤ）である。さらに、図５Ｃに示されるように、接着剤溜まり部１４２ｃの開口部の形状は、十字に４５°回転させた十字を重ねた形状であってもよい。この場合、貫通孔の内周面の面積は、十字の線幅をＬ／６とすると、約６ＬＤ（６．１ＬＤ）である。なお、図５Ａ〜Ｃに示される接着剤溜まり部１４２ａ、１４２ｂ、１４２ｃを有する光レセプタクルは、実施の形態１に係る光レセプタクルと同様の工程により製造することができる。
【００３１】
（シミュレーション）
接着剤溜り部１４２の開口部の形状が異なる４種類の光レセプタクル１２０について、熱硬化性のエポキシ樹脂接着剤で固定した時の（加熱した後の）第１光学面１３２の移動距離（光レセプタクルの変形量）についてシミュレーションを行った。加熱による各第１光学面１３２の平面方向（Ｘ軸方向およびＹ軸方向）の移動距離は、有限要素法により解析した。また、比較のため、接着剤溜り部１４２が無い支持部を有する光レセプタクル１２０’についても、シミュレーションを行った。シミュレーションのために設定した各パラメータを表１に示す。シミュレーションにおける熱硬化性のエポキシ樹脂接着剤の硬化温度は１００℃とし、硬化時間は１時間とした。なお、光レセプタクルは、対称面に対して面対称の形状であるため、右半分に対してのみシミュレーションを行った。また、入射面１３２は、最も左側の入射面１３２を１番として、各入射面１３２に１２番まで番号を付した。したがって、本シミュレーションでは、第７番〜１２番の第１光学面１３２の移動距離についてシミュレーションを行った。
【００３２】
【表１】
2015069023.tif 000003
【００３３】
図６は、接着剤溜り部１４２が無い比較例の光レセプタクル１２０’の構成を示す図である。図６Ａは、比較例の光レセプタクル１２０’の平面図であり、図６Ｂは、底面図であり、図６Ｃは、正面図であり、図６Ｄは、背面図であり、図６Ｅは、右側面図である。
【００３４】
図７は、各第１光学面（入射面）と、接着剤の硬化による第１光学面１３２の移動距離との関係を示すグラフである。図７Ａは、第１光学面１３２のＸ軸方向の移動距離を示すグラフであり、図７Ｂは、第１光学面１３２のＹ軸方向の移動距離を示すグラフである。ここで、「Ｘ軸方向」とは、第２光学面の中心軸に沿う方向（図２Ｂにおける上下方向）を意味し、「Ｙ軸方向」とは、第１光学面の配列方向（図２Ｂにおける左右方向）を意味する。これらのグラフにおいて、横軸は、上記した方法により付した第１光学面１３２の番号である。縦軸は、接着剤の硬化前の第１光学面１３２の位置からの接着剤の硬化後の第１光学面１３２の移動距離を示している。黒丸のシンボルは、図６に示される比較例の光レセプタクル１２０’を用いた場合のシミュレーション結果を示しており、白丸のシンボルは、図３に示される形状の接着剤溜まり部１４２を有する光レセプタクル１２０を用いたシミュレーション結果を示しており、白四角のシンボルは、図５Ａに示される形状の接着剤溜まり部１４２ａを有する光レセプタクル１２０を用いたシミュレーション結果を示しており、白三角のシンボルは、図５Ｂに示される形状の接着剤溜まり部１４２ｂを有する光レセプタクル１２０を用いたシミュレーション結果を示しており、白菱形のシンボルは、図５Ｃに示される形状の接着剤溜まり部１４２ｃを有する光レセプタクル１２０を用いたシミュレーション結果を示している。
【００３５】
これらのグラフに示されるように、接着剤溜まり部１４２を有さない比較例の光レセプタクル１２０’では、接着剤の硬化により、第１光学面１３２がＸ軸方向およびＹ軸方向に大きく移動したことがわかる。一方、接着剤溜まり部１４２，１４２ａ，１４２ｂ，１４２ｃを有する光レセプタクル１２０では、第１光学面１３２の移動が抑制されていることがわかる。なお、接着剤溜まり部１４２，１４２ａ，１４２ｂ，１４２ｃの開口部の形状を変えても、Ｘ軸方向およびＹ軸方向の移動距離に大きな差は見られなかった。
【００３６】
（効果）
以上のように、実施の形態１に係る光レセプタクル１２０は、接着剤溜まり部１４２が光レセプタクルの四隅に位置するように支持部１４０に配置されており、かつ接着剤溜まり部１４２の内周面の全周が支持部１４０に囲まれているため、接着剤を用いて基板１１２に光レセプタクル１２０を固定する際にも、光レセプタクル１２０の変形を抑制することができる。
【００３７】
（変形例）
実施の形態１の変形例に係る光モジュールは、光レセプタクル１２０の形状が実施の形態１に係る光モジュール１００と異なる。そこで、実施の形態１に係る光モジュールと同一の構成要素については、同一の符号を付してその説明を省略し、光モジュール１００の異なる構成要素を中心に説明する。
【００３８】
図８は、実施の形態１の変形例に係る光レセプタクル２２０の構成を示す図である。図８Ａは、実施の形態１の変形例に係る光レセプタクル２２０の平面図であり、図８Ｂは、底面図であり、図８Ｃは、正面図であり、図８Ｄは、背面図であり、図８Ｅは、右側面図である。
【００３９】
図８に示されるように、実施の形態１の変形例に係る光レセプタクル２２０は、光レセプタクル本体１３０および支持部１４０に加え、カバー２５０を有する。カバー２５０は、光レセプタクル本体１３０および支持部１４０の上に配置されている。カバー２５０は、光レセプタクル本体１３０または支持部１４０と同じ透光性の材料を用いて形成されてもよいし、異なる非透光性の材料で形成されていてもよい。たとえば、カバー２５０は、光レセプタクル本体１３０および支持部１４０と同じ透光性の材料で、射出成形により一体として製造されうる。
【００４０】
（効果）
以上のように、実施の形態１の変形例に係る光レセプタクル２２０は、カバー２５０を有するため、接着剤を用いて基板１１２に光レセプタクル１２０を固定する際にも、光レセプタクル１２０の変形をさらに抑制することができる。
【００４１】
［実施の形態２］
実施の形態２に係る光モジュールは、光レセプタクル３２０の形状が実施の形態１に係る光モジュール１００と異なる。そこで、実施の形態１に係る光モジュールと同一の構成要素については、同一の符号を付してその説明を省略し、光モジュールの異なる構成要素を中心に説明する。実施の形態２に係る光モジュールは、支持部３４０の形状が実施の形態１に係る光モジュール１００と異なる。
【００４２】
（光レセプタクルの構成）
図９は、本発明の実施の形態２に係る光レセプタクルの構成を示す図である。図９Ａは、実施の形態２に係る光レセプタクル３２０の平面図であり、図９Ｂは、底面図であり、図９Ｃは、正面図であり、図９Ｄは、背面図であり、図９Ｅは、右側面図である。
【００４３】
図９に示されるように、実施の形態２に係る光レセプタクル３２０は、光レセプタクル本体１３０および支持部３４０を有する。光レセプタクル３２０は、平面視したときにＨ字形状である。
【００４４】
支持部３４０は、レセプタクル本体１３０の両端に配置されている。支持部３４０は、実施の形態１の支持部３４０より長い略直方体の形状である。支持部３４０は、長軸方向の中央部分でレセプタクル本体１３０の両端に接続している。
【００４５】
また、本実施の形態においても、貫通孔の開口部の平面視形状は、特に限定されず、例えば円形、十字、Ｈ字、十字に４５°回転させた十字を重ねた形状のいずれであってもよい。
【００４６】
（シミュレーション）
実施の形態２に係る光レセプタクル３２０についても、実施の形態１と同様に、熱硬化性のエポキシ樹脂接着剤で固定した時の（加熱した後の）第１光学面１３２の移動距離（光レセプタクルの変形量）についてシミュレーションを行った。
【００４７】
図１０は、各第１光学面（入射面）と、接着剤の硬化による第１光学面１３２の移動距離との関係を示すグラフである。図１０Ａは、第１光学面１３２のＸ軸方向の移動距離を示すグラフであり、図１０Ｂは、第１光学面１３２のＹ軸方向の移動距離を示すグラフである。これらのグラフにおいて、横軸は、上記した方法により付した第１光学面１３２の番号である。縦軸は、接着剤の硬化前の第１光学面１３２の位置からの接着剤の硬化後の第１光学面１３２の移動距離を示している。図１０の黒丸のシンボルは、図６に示される比較用の比較例の光レセプタクル１２０’を用いたシミュレーション結果を示しており、白丸のシンボルは、図９に示される実施の形態２に係る光レセプタクル３２０を用いたシミュレーション結果を示している。
【００４８】
これらのグラフに示されるように、接着剤溜まり部１４２を有さない比較例の光レセプタクル１２０’では、接着剤の硬化により、第１光学面１３２がＸ軸方向およびＹ軸方向に大きく移動したことがわかる。一方、平面視したときにＨ字形状である光レセプタクル３２０では、第１光学面１３２の移動が抑制されていることがわかる。
【００４９】
（変形例）
実施の形態２の変形例に係る光モジュールは、発光素子の位置および光レセプタクル１２０の形状が実施の形態１に係る光モジュール１００と異なる。そこで、実施の形態１，２に係る光モジュールと同一の構成要素については、同一の符号を付してその説明を省略し、光モジュール１００の異なる構成要素を中心に説明する。
【００５０】
図１１は、実施の形態２の変形例に係る光レセプタクル４２０の構成を示す図である。図１１Ａは、実施の形態２の変形例に係る光レセプタクル４２０の平面図であり、図１１Ｂは、底面図であり、図１１Ｃは、正面図であり、図１１Ｄは、背面図であり、図１１Ｅは、右側面図である。実施の形態２の変形例に係る光レセプタクル４２０は、第３光学面１３４を有さない点おいて、実施の形態２に係る光レセプタクル１２０と異なる。
【００５１】
図１１に示されるように、実施の形態２の変形例に係る光レセプタクル４２０は、光レセプタクル本体１３０および支持部３４０を有する。また、光レセプタクル本体１３０は、第１光学面１３２および第２光学面１３６を有する。第１光学面１３２は、光レセプタクル本体１３０の第１の側面に配置されている。一方、第２光学面１３６は、第１光学面１３２と対向するように光レセプタクル本体１３０の第２の側面に配置されている。本実施の形態では、発光素子は、光レセプタクル本体１３０の第１の側面に向かってレーザー光を出射するように配置される。発光素子から出射したレーザー光は、第１光学面１３２（入射面）で入射し、第２光学面１３６（出射面）から出射して、光伝送体１１６に到達する。
【００５２】
（効果）
実施の形態２に係る光レセプタクル３２０，４２０は、実施の形態１に係る光レセプタクル１２０と同じ効果を有する。
【００５３】
なお、上記各実施の形態では、接着剤溜まり部１４２が貫通孔の光レセプタクルについて説明したが、接着剤溜まり部１４２は有底の凹部であってもよい。この場合であっても、凹部の内周面は、全周にわたり支持部１４０，３４０に囲われている。また、接着剤溜まり部１４２の開口部の形状は、特に限定されず、円形、十字、Ｈ字、十字に４５°回転させた十字を重ねた形状のいずれであってもよい。
【００５４】
また、上記各実施の形態に係る光モジュールは、発光素子１１４から出射されたレーザー光の出力（例えば、強度や光量）を監視してもよい。特に図示しないが、この場合、光モジュールの光電変換装置１１０は、基板１１２と、発光素子１１４と、基板１１２に配置された受光素子と、受光素子によって受光されたモニター光の強度や光量に基づいて、発光素子１１４から出射するレーザー光の出力を制御する制御部とを有する。また、光レセプタクル１２０は、第１光学面で入射した光を、光伝送体１１６に向かう信号光と、受光素子に向かうモニター光とに分離する、分離部を有する。
【００５５】
また、上記各実施の形態に係る光レセプタクルでは、第１光学面１３２および第２光学面１３６が凸レンズ面である場合を示したが、第１光学面１３２および第２光学面１３６は平面であってもよい。具体的には、第１光学面１３２のみが平面であってもよいし、第２光学面１３６のみが平面であってもよい。第１光学面１３２が平面に形成されている場合、例えば、第３光学面１３４は、凹面鏡として機能できるように形成される。また、第１光学面１３２や第３光学面１３４などにより、第２光学面１３６に到達する直前の光が効果的に収束されている場合は、第２光学面１３６が平面に形成されていてもよい。
【００５６】
また、上記各実施の形態に係る光レセプタクルは、受信側の光モジュールにも使用することができる。この場合、受信用の光モジュールは、複数の発光素子１１４の代わりに光を受光するための複数の受光素子を有する。複数の受光素子は、それぞれ発光素子と同じ位置に配置される。受信用の光モジュールでは、第２光学面１３６が入射面となり、第１光学面１３２が出射面となる。光伝送体１１６の端面から出射された光は、第２光学面１３６から光レセプタクル内に入射する。そして、光レセプタクルに入射した光は、第３光学面１３４で反射して第１光学面１３２から受光素子に向かって出射される。また、反射面を有さない光モジュールでは、光レセプタクルに入射した光は、第１光学面１３２から受光素子に向かって出射される。
【００５７】
また、本実施の形態では、支持部１４０，３４０に接着剤溜まり部１４２を形成したが、基板１１２に接着剤溜まり部を形成しても同様の効果を得られる。
【産業上の利用可能性】
【００５８】
本発明に係る光レセプタクルおよび光モジュールは、光伝送体を用いた光通信に有用である。
【符号の説明】
【００５９】
１００  光モジュール
１１０  光電変換装置
１１２  基板
１１４  発光素子
１１６  光伝送体
１２０，１２０’，２２０，３２０，４２０  光レセプタクル
１３０  光レセプタクル本体
１３２  第１光学面（入射面）
１３４  第３光学面（反射面）
１３６  第２光学面（出射面）
１３８  突起
１４０，３４０  支持部
１４２  接着剤溜り部
２５０  カバー
【図１】
2015069023.tif 000004
【図２】
2015069023.tif 000005
【図３】
2015069023.tif 000006
【図４】
2015069023.tif 000007
【図５】
2015069023.tif 000008
【図６】
2015069023.tif 000009
【図７】
2015069023.tif 000010
【図８】
2015069023.tif 000011
【図９】
2015069023.tif 000012
【図１０】
2015069023.tif 000013
【図１１】
2015069023.tif 000014